(57)【要約】本発明は圧縮機用のモータを提供する。該モータは、円筒形状を有するステータコア（２）を含み、ステータコア（２）の内径と外径との比率ｋがｋ＞０．５を満たすステータと、ステータコア（２）によって囲まれた柱状空間内に設けられ、ロータコア（４２）及びロータコア（４２）に設けられる磁性部材（４４）を含むロータ（４）とを備え、圧縮機の吐出空気量Ｖと、ロータコア（４２）及び磁性部材（４４）の質量Ｍと、ロータ（４）の外縁の最大半径Ｒとは２＜Ｖ／（Ｍ＊Ｒ２）＊１０００＜４を満たし、圧縮機の吐出空気量Ｖの単位はｃｍ３であり、ロータコア（４２）及び磁性部材（４４）の質量Ｍの単位はｇであり、ロータ（４）の外縁の最大半径Ｒの単位はｃｍである。本発明で提供されるモータは、モータの小型化を保証するとともに、回転速度の変動を低下させ、圧縮機の低周波数運転中に、圧縮機の運転安定性を効果的に向上させ、及び圧縮機全体のエネルギー効率を向上させるとともに、圧縮機の騒音を低減させる。【選択図】図２
2021516949.tif 000002
【特許請求の範囲】
【請求項１】
圧縮機用のモータであって、
円筒形状を有するステータコアを含み、前記ステータコアの内径と外径との比率ｋがｋ＞０．５を満たすステータと、
前記ステータコアによって囲まれた柱状空間内に設けられ、ロータコア及び前記ロータコアに設けられる磁性部材を含むロータと、を備え、
前記圧縮機の吐出空気量Ｖと、前記ロータコア及び前記磁性部材の質量Ｍと、前記ロータの外縁の最大半径Ｒとは２＜Ｖ／（Ｍ＊Ｒ２）＊１０００＜４を満たし、前記圧縮機の吐出空気量Ｖの単位はｃｍ３であり、前記ロータコア及び前記磁性部材の質量Ｍの単位はｇであり、前記ロータの外縁の最大半径Ｒの単位はｃｍであるモータ。
【請求項２】
前記ステータコアの内径と外径との比率ｋはｋ＞０．５７を満たし、
前記圧縮機の吐出空気量Ｖと、前記ロータコア及び前記磁性部材の質量Ｍと、前記ロータの外縁の最大半径Ｒとは２．２＜Ｖ／（Ｍ＊Ｒ２）＊１０００＜３．７を満たす請求項１に記載のモータ。
【請求項３】
前記磁性部材は、永久磁石である請求項１又は請求項２に記載のモータ。
【請求項４】
前記モータは、希土類永久磁石同期モータである請求項３に記載のモータ。
【請求項５】
前記モータは、集中巻モータである請求項１又は請求項２に記載のモータ。
【請求項６】
前記ステータコアは、重なり合う複数のステータパンチングシートを含み、前記ステータパンチングシートの各々には、前記ステータパンチングシートの内側に位置し、前記ステータパンチングシートの周方向に沿って均等に配置されている複数の歯スロットが設けられる請求項１又は請求項２に記載のモータ。
【請求項７】
前記歯スロットの数は９であり、前記ロータの極数は６である、又は
前記歯スロットの数は６であり、前記ロータの極数は４である、又は
前記歯スロットの数は１８であり、前記ロータの極数は６である、又は
前記歯スロットの数は２４であり、前記ロータの極数は４である請求項６に記載のモータ。
【請求項８】
前記ロータの磁極構造はＶ字状又はＷ字状である請求項１又は請求項２に記載のモータ。
【請求項９】
請求項１から請求項８のいずれか一項に記載のモータを含む圧縮機。
【請求項１０】
前記圧縮機は単気筒ロータリ圧縮機である請求項９に記載の圧縮機。
【請求項１１】
請求項１から請求項８のいずれか一項に記載のモータ、又は
請求項９又は請求項１０に記載の圧縮機を含む冷却装置。
【発明の詳細な説明】
【技術分野】
【０００１】
本願は、２０１８年３月２９日に中国特許庁に提出された、出願番号が２０１８１０２７３５８４．８であり、発明の名称が「モータ、圧縮機及び冷却装置」である中国特許出願の優先権を主張し、その内容の全てを援用することにより本願に取り入れる。
【０００２】
本発明は、圧縮機の技術分野に関し、特にモータ、圧縮機及び冷却装置に関する。
【背景技術】
【０００３】
周知のように、単気筒ロータリ圧縮機は構造が簡単で、エネルギー効率が高く、エアコンなどの家電分野に広く使用されている。しかしながら、従来の構造において、圧縮機は脈動負荷であり、圧縮機の低周波数運転中に、回転速度が大きく変動する。また、モータ部のステータの内径が小さいため、低周波数条件では、ロータの妨害防止能力が悪く、圧縮機の低周波数エネルギー効率が抑制される。
【発明の概要】
【発明が解決しようとする課題】
【０００４】
本発明は、既存技術或いは関連技術における技術的問題の少なくとも１つを解決することを目的とする。
【０００５】
そのため、本発明の第１態様は、モータを提供する。
【０００６】
本発明の第２態様は、圧縮機を提供する。
【０００７】
本発明の第３態様は、冷却装置を提供する。
【課題を解決するための手段】
【０００８】
これに鑑みて、本発明の第１態様は、圧縮機用のモータを提供し、前記モータは、円筒形状を有するステータコアを含み、ステータコアの内径と外径との比率ｋがｋ＞０．５を満たすステータと、ステータコアによって囲まれた柱状空間内に設けられ、ロータコア及びロータコアに設けられる磁性部材を含むロータとを備え、圧縮機の吐出空気量Ｖと、ロータコア及び前記磁性部材の質量Ｍと、ロータの外縁の最大半径Ｒとが２＜Ｖ／（Ｍ＊Ｒ２）＊１０００＜４を満たし、圧縮機の吐出空気量Ｖの単位はｃｍ３であり、ロータコア及び磁性部材の質量Ｍの単位はｇであり、ロータの外縁の最大半径Ｒの単位はｃｍである。
【０００９】
本発明に係るモータは、ステータ及びロータを含み、ステータはステータコアを含み、ロータはステータコアに内嵌され、ロータはステータコアに対して回転可能であり、ロータは、リベット及びバランスウェイトなどの部品をさらに含む。圧縮機の吐出空気量が一定である場合、Ｖ／（Ｍ＊Ｒ２）＊１０００の値が大きいほど、モータの小型化に有利であるが、Ｖ／（Ｍ＊Ｒ２）＊１０００の値が大きいほど、圧縮機の低周波数条件でのロータ回転速度の変動が大きくなり、妨害防止能力が悪化し、圧縮機のエネルギー効率が顕著に低下する。ロータの慣性モーメントは、ロータコア及び磁性部材の質量Ｍとロータの外縁の最大半径Ｒの２乗とに比例するため、ロータの外縁の最大半径を大きくすることにより、回転速度の変動を低下させることができ、ロータの妨害防止能力を改善して、圧縮機のエネルギー効率を向上させる。ロータの外縁の最大半径の大きさは、ステータコアの内径に制限され、ステータコアの外径が一定である場合、ステータコアの内径と外径との比率ｋを最適化し、ｋの値をｋ＞０．５に設定することにより、ステータコアの内径を大きくすることができ、さらに、ロータの外縁の最大半径を大きくすることも保証できる。同時に、モータは、小型化のニーズも満たさなければならないため、圧縮機の吐出空気量Ｖと、ロータコア及び磁性部材の質量Ｍと、ロータの外縁の最大半径Ｒとが２＜Ｖ／（Ｍ＊Ｒ２）＊１０００＜４を満たす必要がある。このようにすることで、本発明に係るモータは、圧縮機の小型化を保証するとともに、回転速度の変動を低下させ、ロータの妨害防止能力を改善し、圧縮機の低周波数運転中に、圧縮機の運転安定性を効果的に向上させ、且つ圧縮機全体のエネルギー効率を向上させるとともに、圧縮機の騒音を低減させる。
【００１０】
また、本発明に係る上記技術的手段のモータは、さらに以下のような付加的な技術的特徴を有してもよい。
【００１１】
上記技術的手段において、好ましくは、ステータコアの内径と外径との比率ｋはｋ＞０．５７を満たし、圧縮機の吐出空気量Ｖと、ロータコア及び磁性部材の質量Ｍと、ロータの外縁の最大半径Ｒとは２．２＜Ｖ／（Ｍ＊Ｒ２）＊１０００＜３．７を満たす。
【００１２】
当該技術的手段において、ステータコアの内径と外径との比率ｋ及びＶ／（Ｍ＊Ｒ２）＊１０００の値の範囲をさらに最適化し、ｋをｋ＞０．５７に設定し、Ｖ／（Ｍ＊Ｒ２）＊１０００の値を２．２＜Ｖ／（Ｍ＊Ｒ２）＊１０００＜３．７に設定することにより、モータの小型化を保証するとともに、回転速度の変動をさらに低下させ、ロータの妨害防止能力を改善し、圧縮機の低周波数運転中に、さらに、圧縮機の運転安定性を効果的に向上させ、且つ圧縮機全体のエネルギー効率を向上させるとともに、圧縮機の騒音を低減させる。
【００１３】
上記のいずれか１つの技術的手段において、好ましくは、磁性部材は、永久磁石である。
【００１４】
当該技術的手段において、磁性部材として、電磁石ではなく永久磁石を採用することで、磁性部材を電源に接続する必要がなく、構造がより簡潔になる。
【００１５】
上記のいずれか１つの技術的手段において、好ましくは、モータは、希土類永久磁石同期モータである。
【００１６】
当該技術的手段において、希土類永久磁石同期モータは、始動トルクが高く、過負荷能力が高く、運転効率が高く、エネルギー節約効果が明らかであるという利点を有するため、圧縮機のエネルギー効率をさらに向上させることができる。
【００１７】
上記のいずれか１つの技術的手段において、好ましくは、モータは、集中巻モータである。
【００１８】
当該技術的手段において、当該モータは、集中巻モータ構造を採用して、モータの端部に使用される銅を節約し、モータの単体効率を向上させることができる。そして、集中巻モータ構造は、モータの内径が大きいので、ロータの外径を大きくすることができ、圧縮機の低周波数運転の安定性を効果的に向上させることが可能になる。
【００１９】
上記のいずれか１つの技術的手段において、好ましくは、ステータコアは重なり合う複数のステータパンチングシートを含み、ステータパンチングシートの各々には、ステータパンチングシートの内側に位置し、且つステータパンチングシートの周方向に沿って均等に配置されている複数の歯スロットが設けられる。
【００２０】
当該技術的手段において、ステータコアは、複数のステータパンチングシートを重ねて形成することができるため、ステータパンチングシートの寸法、厚さ及び数を設定することにより、寸法や大きさの異なるステータコアを構成することができ、様々なユーザのニーズを満たし、ユーザの体験を向上させるだけでなく、ステータコアの製造工程も簡略化でき、ステータコアに高い柔軟性を有させる。また、ステータパンチングシートの各々に設けられた複数の歯スロットの位置は全て同じであり、ステータは、巻線をさらに含み、これにより、互いに重なり合うステータパンチングシートの内側に位置する歯スロットは、巻線の巻き付けを容易にすることができる。
【００２１】
複数の歯スロットを等間隔に配置してもよい。これにより、巻線をステータコアに均等に配置することができ、ステータの磁気密度の分布が均一になり、モータの性能を向上させる。
【００２２】
上記のいずれか１つの技術的手段において、好ましくは、歯スロットの数は９であり、ロータの極数は６である、又は歯スロットの数は６であり、ロータの極数は４である、又は歯スロットの数は１８であり、ロータの極数は６である、又は歯スロットの数は２４であり、ロータの極数は４である。
【００２３】
当該技術的手段において、歯スロット及び対応するロータ極数の数を具体的に限定し、上記の数の歯スロット及び対応するロータ極数を有するモータは、圧縮機の運転効率をさらに向上させ、電磁騒音を低減させることができる。
【００２４】
上記のいずれか１つの技術的手段において、好ましくは、ロータの磁極構造は、Ｖ字状又はＷ字状である。
【００２５】
当該技術的手段において、ロータの磁極構造はＶ字状又はＷ字状であり、同じスペース内での永久磁石の面積を増加することができ、これによりモータの性能を向上させる。
【００２６】
本発明の第２態様は、上記のいずれか１つの技術的手段に記載のモータを含む圧縮機を提供する。
【００２７】
本発明にて提供される圧縮機は、上記のいずれか１つの技術的手段に記載のモータを含むため、上記モータの全ての技術的効果を有し、ここでは詳細な説明を省略する。
【００２８】
上記技術的手段において、好ましくは、圧縮機は、単気筒ロータリ圧縮機である。
【００２９】
当該技術的手段において、圧縮機は、ハウジングと、内部に圧縮室が設けられているポンプ本体とをさらに含む。
【００３０】
本発明の第３態様は、上記のいずれか１つの技術的手段に記載のモータ、又は上記のいずれか１つの技術的手段に記載の圧縮機を含む冷却装置を提供する。
【００３１】
本発明にて提供される冷却装置は、上記のいずれか１つの技術的手段に記載のモータ又は圧縮機を含むため、上記モータ又は圧縮機の全ての技術的効果を有し、ここでは詳細な説明を省略する。
【００３２】
当該技術的手段において、当該冷却装置は、エアコンや冷蔵庫であってもよい。
【００３３】
本発明の付加的な態様及び利点は、以下の説明の部分で明らかになるか、又は本発明の実施によって理解され得る。
【図面の簡単な説明】
【００３４】
本発明の上記及び／又は付加的な態様及び利点は、以下の添付図面を参照した実施例に対する記述から明らかになり、理解しやすくなる。
【００３５】
【図１】図１は、本発明の一実施例に係るステータコアを示す正面図である。
【図２】図２は、本発明の一実施例に係るロータコアを示す正面図である。
【図３】図３は、本発明の一実施例に係るモータの体積とＶ／（Ｍ＊Ｒ２）＊１０００との比率関係を示す比率関係図である。
【図４】図４は、本発明の圧縮機のネルギー効率と関連技術とを比較して、その変化傾向を示す比較図である。
【発明を実施するための形態】
【００３６】
本発明の上記目的、特徴及び利点をより明確に理解するために、以下では、添付図面及び具体的な実施形態を参照しながら本発明に対してさらに詳細に説明する。なお、矛盾しない場合、本願の実施例及び実施例の特徴を互いに組み合わせてもよい。
【００３７】
本発明の十分な理解を容易にするために、以下の説明では、多くの具体的な詳細を記述したが、本発明は、ここで説明されたものと異なる他の方法で実施されてもよく、したがって、本発明の保護範囲は以下に開示された具体的な実施例に制限されない。
【００３８】
以下、図１〜図４を参照しながら、本発明のいくつかの実施例に係るモータを説明する。
【００３９】
図１及び図２に示すように、本発明の第１態様の実施例は、圧縮機用のモータを提供し、円筒形状を有するステータコア２を含み、ステータコア２の内径と外径との比率ｋがｋ＞０．５を満たすステータと、ステータコア２によって囲まれた柱状空間内に設けられ、ロータコア４２及びロータコア４２に設けられる磁性部材４４を含むロータ４とを備え、圧縮機の吐出空気量Ｖと、ロータコア４２及び磁性部材４４の質量Ｍと、ロータ４の外縁の最大半径Ｒとは２＜Ｖ／（Ｍ＊Ｒ２）＊１０００＜４を満たし、圧縮機の吐出空気量Ｖの単位はｃｍ３であり、ロータコア４２及び磁性部材４４の質量Ｍの単位はｇであり、ロータ４の外縁の最大半径Ｒの単位はｃｍである。
【００４０】
本発明は、モータを提供し、前記モータは、ステータ及びロータ４を含み、ステータはステータコア２を含み、ロータ４はステータコア２に内嵌され、ロータ４はステータコア２に対して回転可能であり、ロータ４は、リベット及びバランスウェイトなどの部品をさらに含む。圧縮機の吐出空気量が一定である場合、図３に示すように、ｘ軸はＶ／（Ｍ＊Ｒ２）＊１０００の値であり、ｙ軸はモータの体積Ｖ２であり、モータの体積はＶ／（Ｍ＊Ｒ２）＊１０００の値の増加に伴って減少し、即ち、Ｖ／（Ｍ＊Ｒ２）＊１０００の値が大きいほど、モータの小型化に有利であるが、Ｖ／（Ｍ＊Ｒ２）＊１０００の値が大きいほど、圧縮機の低周波数条件でのロータ４の回転速度の変動が大きくなり、妨害防止能力が悪化し、圧縮機のエネルギー効率が顕著に低下する。ロータ４の慣性モーメントは、ロータコア４２及び磁性部材４４の質量Ｍとロータ４の外縁の最大半径Ｒの２乗とに比例するため、ロータ４の外縁の最大半径を大きくすることにより、回転速度の変動を低下させ、ロータ４の妨害防止能力を改善して、圧縮機のエネルギー効率を向上させることができる。ロータ４の外縁の最大半径の大きさはステータコア２の内径に制限され、ステータコア２の外径が一定である場合、ステータコア２の内径と外径との比率ｋを最適化し、ｋの値をｋ＞０．５に設定することにより、ステータコア２の内径を大きくすることができ、さらに、ロータ４の外縁の最大半径を大きくすることも保証できる。同時に、モータは、小型化のニーズも満たさなければならない。図４に示すように、ｘ軸はＶ／（Ｍ＊Ｒ２）＊１０００の値であり、ｙ軸は圧縮機のエネルギー効率であり、実線は本発明の圧縮機のエネルギー効率の曲線であり、破線は関連技術の圧縮機のエネルギー効率の曲線である。本発明は、ｋを０．５より大きく設定し、ロータコア外径を増大させることにより、関連技術より圧縮機のエネルギー効率が向上される。また、Ｖ／（Ｍ＊Ｒ２）＊１０００の値が２〜４の間にある場合、圧縮機のエネルギー効率は基本的に同等であり、Ｖ／（Ｍ＊Ｒ２）＊１０００の値が４である場合、圧縮機のエネルギー効率が明らかに低下する臨界点に到達するので、圧縮機の吐出空気量Ｖと、ロータコア４２及び磁性部材４４の質量Ｍと、ロータ４の外縁の最大半径Ｒとが２＜Ｖ／（Ｍ＊Ｒ２）＊１０００＜４を満たすことがさらに必要になり、圧縮機の吐出空気量Ｖの単位はｃｍ３であり、ロータコア４２及び磁性部材４４の質量Ｍの単位はｇであり、ロータ４の外縁の最大半径Ｒの単位はｃｍである。このようにすることで、本発明に係るモータは、モータの小型化を保証するとともに、回転速度の変動を低減させ、ロータ４の妨害防止能力を改善し、圧縮機の低周波数運転中に、圧縮機の運転安定性を効果的に向上させ、且つ圧縮機全体のエネルギー効率を向上させるとともに、圧縮機の騒音を低減させる。
【００４１】
図１〜図４に示すように、本発明の一実施例において、好ましくは、ステータコア２の内径と外径との比率ｋはｋ＞０．５７を満たし、圧縮機の吐出空気量Ｖと、ロータコア４２及び磁性部材４４の質量Ｍと、ロータ４の外縁の最大半径Ｒとは２．２＜Ｖ／（Ｍ＊Ｒ２）＊１０００＜３．７を満たす。
【００４２】
当該実施例において、ステータコア２の内径と外径との比率ｋの値の範囲をさらに最適化し、ｋを０．５７より大きく設定し、図３に示すように、モータの体積は、Ｖ／（Ｍ＊Ｒ２）＊１０００の値の増加に伴って減少し、Ｖ／（Ｍ＊Ｒ２）＊１０００の値が２．２である場合、モータの体積は約半分に減少する。図４に示すように、関連技術と比較して、本発明はロータコアの外径を大きくすることにより圧縮機のエネルギー効率を向上させる。また、Ｖ／（Ｍ＊Ｒ２）＊１０００の値が２．２〜３．７の間にある場合、圧縮機のエネルギー効率は基本的に同等であるので、圧縮機の吐出空気量Ｖと、ロータコア４２及び磁性部材４４の質量Ｍと、ロータ４の外縁の最大半径Ｒとが２．２＜Ｖ／（Ｍ＊Ｒ２）＊１０００＜３．７を満たし、圧縮機の吐出空気量Ｖの単位はｃｍ３であり、ロータコア４２及び磁性部材４４の質量Ｍの単位はｇであり、ロータ４の外縁の最大半径Ｒの単位はｃｍである場合、本発明に係るモータは、モータの小型化を保証するとともに、回転速度の変動をさらに低下させ、ロータ４の妨害防止能力を改善し、圧縮機の低周波数運転中に、圧縮機の運転安定性をさらに効果的に向上させ、且つ圧縮機全体のエネルギー効率を向上させるとともに、圧縮機の騒音をさらに低減させる。
【００４３】
本発明の一実施例において、好ましくは、磁性部材４４は、永久磁石である。
【００４４】
当該技術的手段において、磁性部材４４として、電磁石ではなく永久磁石を採用することにより、磁性部材４４を電源に接続する必要がなく、構造がより簡潔になる。
【００４５】
本発明の一実施例において、好ましくは、モータは、希土類永久磁石同期モータである。
【００４６】
当該実施例において、希土類永久磁石同期モータは、始動トルクが高く、過負荷能力が高く、運転効率が高く、エネルギー節約効果が明らかであるという利点を有するため、圧縮機のエネルギー効率をさらに向上させることができる。
【００４７】
本発明の一実施例において、好ましくは、モータは、集中巻モータである。
【００４８】
当該実施例において、当該モータは、集中巻モータ構造を採用して、モータの端部に使用される銅を節約し、モータの単体効率を向上させることができる。そして、集中巻モータ構造は、モータの内径が大きいので、ロータ４の外径を大きくすることができ、圧縮機の低周波数運転の安定性を効果的に向上させることが可能である。
【００４９】
本発明の一実施例において、好ましくは、ステータコア２は、重なり合う複数のステータパンチングシートを含み、図１に示すように、ステータパンチングシートの各々には、ステータパンチングシートの内側に位置し、且つステータパンチングシートの周方向に沿って均等に配置されている複数の歯スロット２２が設けられる。
【００５０】
当該実施例において、ステータコア２は、複数のステータパンチングシートを重ねて形成することができるため、ステータパンチングシートの寸法、厚さ及び数を設定することにより、寸法や大きさの異なるステータコア２を構成することができ、様々なユーザのニーズを満たし、ユーザの体験を向上させるだけでなく、ステータコア２の製造工程も簡略化でき、ステータコア２に高い柔軟性を有させる。また、ステータパンチングシートの各々に設けられた複数の歯スロット２２の位置は全て同じであり、ステータは、巻線をさらに含み、これにより、互いに重なり合うステータパンチングシートの内側に位置する歯スロット２２は、巻線の巻き付けを容易にすることができる。
【００５１】
複数の歯スロット２２を等間隔に配置してもよい。これにより、巻線をステータコア２に均等に配置することができ、ステータの磁気密度の分布が均一になり、モータの性能を向上させる。
【００５２】
本発明の一実施例において、好ましくは、歯スロット２２の数は９であり、ロータ４の極数は６である、又は歯スロット２２の数は６であり、ロータ４の極数は４である、又は歯スロット２２の数は１８であり、ロータ４の極数は６である、又は歯スロット２２の数は２４であり、ロータ４の極数は４である。
【００５３】
当該実施例において、歯スロット２２及び対応するロータ４の極数の数を具体的に限定し、上記数の歯スロット２２及び対応するロータ４の極数を有するモータは、圧縮機の運転効率をさらに向上させることができ、電磁騒音を低減させる。
【００５４】
好ましくは、図１及び図２に示すように、歯スロット２２の数は９であり、ロータ４の極数は６である。
【００５５】
本発明の一実施例において、好ましくは、ロータ４の磁極構造は、Ｖ字状又はＷ字状である。
【００５６】
当該実施例において、ロータの磁極構造はＶ字状又はＷ字状であり、同じスペース内での永久磁石の面積を増加させることができ、これによりモータの性能を向上させる。
【００５７】
図２に示すように、ロータの磁極構造はＶ字状であってもよい。
【００５８】
本発明の第２態様の実施例は、上記のいずれか１つの実施例に記載のモータを含む圧縮機を提供する。
【００５９】
本発明にて提供される圧縮機は、上記の第１態様におけるいずれか１つの実施例に記載のモータを含むため、上記モータの全ての技術的効果を有し、ここでは詳細な説明を省略する。
【００６０】
本発明の一実施例において、好ましくは、圧縮機は、単気筒ロータリ圧縮機である。
【００６１】
当該実施例において、圧縮機は、ハウジングと、内部に圧縮室が設けられているポンプ本体とをさらに含む。
【００６２】
本発明の第３態様の実施例は、上記のいずれか１つの実施例に記載のモータ、又は上記のいずれか１つの技術的手段に記載の圧縮機を含む冷却装置を提供する。
【００６３】
本発明にて提供される冷却装置は、上記の第１態様におけるいずれか１つの実施例に記載のモータ又は圧縮機を含むため、上記モータ又は圧縮機の全ての技術的効果を有し、ここでは詳細な説明を省略する。
【００６４】
当該実施例において、当該冷却装置は、エアコン又は冷蔵庫であってもよい。
【００６５】
本発明において、用語「複数」は、特に明確に限定されない限り、２つ又は２つ以上を意味する。用語「取り付け」、「連結」、「接続」、「固定」などは、いずれも広い意味で理解すべきであり、例えば、「接続」は固定接続であっても、取り外し可能な接続であっても、一体型接続であってもよく、「連結」は直接連結であっても、中間媒体を介する間接的な連結であってもよい。当業者にとって、具体的な状況に基づいて、上記用語の本発明における具体的な意味を理解することができる。
【００６６】
本明細書の説明において、用語「一実施例」、「いくつかの実施例」、「具体的な実施例」などの記述は、当該実施例又は例示的な説明を参照する具体的な特徴、構造、材料又は特性は、本発明の少なくとも１つの実施例又は例示に含まれることを意味する。本明細書において、上記用語の概略的な表現は、必ずしも同じ実施例又は実例を意味するとは言えない。そして、説明する具体的な特徴、構造、材料又は特性は、いずれの１つ又は複数の実施例或いは例示において適切な方法で組み合わされてもよい。
【００６７】
上記は、本発明の好ましい実施例に過ぎず、本発明を制限するものではなく、当業者にとって、本発明に対して様々な変更および変化が可能である。本発明の精神および原理の範囲内で行われるあらゆる修正、同価置換、改良などは、いずれも本発明の保護範囲に含まれるべきである。
【符号の説明】
【００６８】
図１及び図２の符号と部品の対応関係は以下の通りである。
２…ステータコア、２２…歯スロット、４…ロータ、４２…ロータコア、４４…磁性部材。
【図１】
2021516949.tif 000003
【図２】
2021516949.tif 000004
【図３】
2021516949.tif 000005
【図４】
2021516949.tif 000006
【国際調査報告】
2021516949.tif 000007
2021516949.tif 000008
2021516949.tif 000009
2021516949.tif 000010
2021516949.tif 000011